(57)【要約】【課題】本発明は、駆動用シーブへの動力の伝達力を大きくできることは勿論のこと、保守点検の間隔を延長できる摩擦駆動によるエレベーター用巻上機を提供することにある。【解決手段】本発明は、駆動用シーブ４の主ロープ５巻き掛け範囲外の外周に複数のローラ７，８によって押圧される無端状の駆動ベルト６を巻き掛け、前記複数のローラの一つを駆動電動機１０によって駆動するように構成したのである。  このように構成することで、駆動ベルト６による駆動用シーブ４への動力の伝達力を確保できると共に、駆動ベルト６を主ロープ５の巻き掛け範囲外の駆動用シーブ４に押圧させることができるので、駆動ベルト６と主ロープ５との接触による摩耗はなくなり、その結果、これらの保守点検の間隔を延長することができるのである。【選択図】図２
2010150028.tif 000002
【特許請求の範囲】
【請求項１】
駆動電動機の動力を駆動用シーブに伝達し、この駆動用シーブに主ロープを巻き掛けて乗かごを昇降させるように構成したエレベーター用巻上機において、前記駆動用シーブの主ロープ巻き掛け範囲外の外周に複数のローラによって押圧される無端状の駆動ベルトを巻き掛け、前記複数のローラの一つを前記駆動電動機によって駆動するように構成したことを特徴とするエレベーター用巻上機。
【請求項２】
駆動電動機の動力を駆動用シーブに伝達し、この駆動用シーブに主ロープを巻き掛けて乗かごを昇降させるように構成したエレベーター用巻上機において、前記駆動用シーブの主ロープ巻き掛け範囲外の外周に複数のローラによって無端状の駆動ベルトを巻き掛け、前記複数のローラの一つを前記駆動電動機によって駆動すると共に、前記駆動ベルトとの前記駆動用シーブへの押圧力を発生させる押圧手段を設けたことを特徴とするエレベーター用巻上機。
【請求項３】
駆動電動機の動力を駆動用シーブに伝達し、この駆動用シーブに主ロープを巻き掛けて乗かごを昇降させるように構成したエレベーター用巻上機において、前記駆動用シーブの主ロープ巻き掛け範囲外の外周に複数のローラによって無端状の駆動ベルトを巻き掛け、前記複数のローラの一つを前記駆動電動機によって駆動すると共に、前記駆動ベルトの前記駆動用シーブへの押圧力を発生させる押圧手段を設け、かつ、前記駆動ベルトの前記駆動用シーブへの押圧力を調整する押圧力調整手段を設けたことを特徴とするエレベーター用巻上機。
【請求項４】
駆動電動機の動力を駆動用シーブに伝達し、この駆動用シーブに主ロープを巻き掛けて乗かごを昇降させるように構成したエレベーター用巻上機において、前記駆動用シーブの主ロープ巻き掛け範囲外の外周に複数のローラによって無端状の駆動ベルトを巻き掛け、前記複数のローラの一つを前記駆動電動機によって駆動すると共に、前記駆動ベルトとの前記駆動用シーブへの押圧力を発生させる押圧手段を設け、かつ、前記駆動ベルトの前記駆動用シーブへの巻き掛け角度を調整する巻き掛け角調整機構を設けたことを特徴とするエレベーター用巻上機。
【請求項５】
前記駆動ベルトは、駆動用シーブの外周に形成したロープ溝内に押圧される凸条を形成していることを特徴とする請求項１，２，３又は４記載のエレベーター用巻上機。
【発明の詳細な説明】
【技術分野】
【０００１】
本発明はエレベーター用巻上機に係り、特に主ロープを巻き掛けた駆動用シーブを摩擦駆動するエレベーター用巻上機に関する。
【背景技術】
【０００２】
従来から、主ロープを巻き掛けた駆動用シーブを摩擦駆動するエレベーター用巻上機としては、例えば特許文献１，２に示すように、駆動電動機で駆動される駆動ローラを駆動用シーブの外周に押付けて摩擦駆動する巻上機が提案されている。
【０００３】
しかし、これらの巻上機は、駆動用シーブと駆動ローラとの接触面積が小さいために、伝達できる駆動電動機からの駆動力が小さい問題がある。
【０００４】
また、特許文献３に示すように、駆動用シーブに巻き掛けられた主ロープを駆動ベルトで押付け、この駆動ベルトを駆動させることで主ロープを駆動させる巻上機が提案されている。
【０００５】
【特許文献１】ＷＯ２００６/０２７８４０
【特許文献２】ＷＯ２００６/００１０７５
【特許文献３】特開２００８−８１２２７号公報
【発明の開示】
【発明が解決しようとする課題】
【０００６】
上記特許文献３に記載の巻上機においては、特許文献１，２の巻上機に比べて伝達できる駆動電動機からの動力の伝達力を大きくすることができる。
【０００７】
しかしながら、駆動ベルトが駆動用シーブのロープ溝から突出している主ロープを押圧する構成となっている。そのため、主ロープを構成する多数の素線の撚りによる凹凸によって駆動ベルトとの摩擦駆動力は増大するが、駆動ベルトの摩耗が早くなり、保守点検を頻繁に行う必要がある。さらに、主ロープが屈曲される範囲において駆動ベルトで押圧されることから、駆動用シーブのロープ溝内で主ロープの断面が潰される方向に変形し、主ロープの寿命を低下させることになり、同様に保守点検を頻繁に行わねばならない問題がある。
【０００８】
本発明の目的は、駆動ベルトによる駆動用シーブへの動力の伝達力を大きくできることは勿論のこと、保守点検の間隔を延長できる摩擦駆動によるエレベーター用巻上機を提供することにある。
【課題を解決するための手段】
【０００９】
本発明は上記目的を達成するために、駆動用シーブの主ロープ巻き掛け範囲外の外周に複数のローラによって押圧される無端状の駆動ベルトを巻き掛け、前記複数のローラの一つを駆動電動機によって駆動するように構成したのである。
【００１０】
このように構成することで、駆動ベルトによる駆動用シーブへの動力の伝達力を確保できると共に、駆動ベルトを主ロープの巻き掛け範囲外の駆動用シーブに押圧させることができるので、駆動ベルトを主ロープに押圧させるものに比べて、駆動ベルトや主ロープの摩耗は少なくなり、その結果、これらの保守点検の間隔を延長することができるのである。
【発明の効果】
【００１１】
以上説明しましたように、本発明のよれば、駆動ベルトによる駆動用シーブへの動力の伝達力を十分に確保できることは勿論のこと、保守点検の間隔を延長できる摩擦駆動によるエレベーター用巻上機を得ることができる。
【発明を実施するための最良の形態】
【００１２】
以下本発明によるエレベーター用巻上機の一実施の形態を図１〜図３に基づいて説明する。
【００１３】
本実施の形態による巻上機１は、図示しない昇降路内の固定部材や、昇降路頂部の機械室の固定部材に固定される支持台２と、この支持台２から上方に延在する支持枠３と、この支持枠３の延在側に回転自在に軸支された駆動用シーブ４と、この駆動用シーブ４の外周に削設された複数のロープ溝４Ｇと、このロープ溝４Ｇの夫々に巻き掛けられた主ロープ５と、前記駆動用シーブ４の主ロープ５の巻き掛け範囲外に接触する無端状の駆動ベルト６と、この駆動ベルト６を張架する駆動ローラ７及び従動ローラ８と、これら駆動ローラ７及び従動ローラ８を回転自在に軸支する押圧力調整台９と、前記駆動ローラ７を回転駆動する駆動電動機１０と、前記押圧力調整台９と支持台２との間に介在され前記駆動ベルト６を駆動用シーブ４の外周に押圧する押圧手段となる圧縮ばね１１Ａ，１１Ｂと、前記押圧力調整台９を前記支持枠３の延在方向に案内する案内手段１２Ａ，１２Ｂとで構成される。
【００１４】
前記駆動ベルト６は、前記駆動用シーブ４のロープ溝４Ｇに嵌合する凸条６Ａを有し、駆動ベルト６が駆動用シーブ４から外れるのを防止している。
【００１５】
巻上機１を以上のように構成したので、駆動用シーブ４を回転させて主ロープ５を移動させる場合には、駆動用電動機１０を駆動して駆動ローラ７を回転させる。駆動ローラ７の回転により従動ローラ８との間に巻き掛けられた駆動ベルト６は移動し、この移動する駆動ベルト６の駆動用シーブ４の外周面との接触及び駆動ベルト６の凸条６Ａとロープ溝４Ｇとの接触による摩擦によって駆動用シーブ４は回転し、ロープ溝４Ｇに巻き掛けられた主ロープ５を移動させる。
【００１６】
ところで、前記駆動ベルト６の駆動用シーブ４への押圧力は、圧縮ばね１１Ａ，１１Ｂによって確保しているが、押圧力の調整は、圧縮ばね１１Ａ，１１Ｂを用いずに、案内手段１２Ａ，１２Ｂによって押圧力調整台９を支持枠３に沿って移動させることで両者の間隔を調整する機構を設けて行うことができる。さらに、圧縮ばね１１Ａ，１１Ｂを用いずに、駆動ローラ７と従動ローラ８との間隔を調整する機構を設け、駆動ベルト６の張力を加減して駆動用シーブ４の外周への押圧力を調整することができる。
【００１７】
したがって、駆動ベルト６の駆動用シーブ４の外周への押圧力を調整する場合には、押圧力調整台９と支持枠３との間隔を調整する機構や、駆動ローラ７と従動ローラ８との間隔を調整する機構が、本発明による押圧手段を兼ねる押圧力調整手段となる。
【００１８】
このほか、押圧力調整台９を駆動用シーブ４に接近させると共に、駆動ローラ７と従動ローラ８との間隔を広げることで、駆動ベルト６の駆動用シーブ４への巻き掛け角度を大きくして大きな動力の伝達を可能とすることができ、逆に、押圧力調整台９を駆動用シーブ４から乖離させると共に、駆動ローラ７と従動ローラ８との間隔を狭めることで、駆動ベルト６の駆動用シーブ４への巻き掛け角度を小さくすることができる。
【００１９】
したがって、押圧力調整台９と支持枠３との間隔を調整する機構や、駆動ローラ７と従動ローラ８との間隔を調整する機構が、本発明による駆動ベルトの巻き掛け角調整機構となる。
【００２０】
さらに、上記実施の形態においては、駆動ベルト６に凸条６Ａを設けて、駆動用シーブ４の外周面への接触とロープ溝４Ｇ内への接触によって駆動ベルト６による駆動用シーブ４への動力の伝達力を確保しているが、駆動用シーブ４のロープ溝４Ｇを除く外周面への駆動ベルト６の接触によって十分に伝達力が確保できるのであれば、駆動ベルト４が図３の矢印方向にずれたときにのみ、ロープ溝４Ｇに係合するような凸条としてもよく、さらには凸条６Ａを全く設けなくてもよい。
【００２１】
以上説明した実施形態によれば、駆動シーブ４の主ロープ５が巻き掛けられた範囲外の外周面に駆動ベルト６を押圧接触させることで、大きな動力伝達面を確保できるので、特許文献１，２の巻上機に比べて駆動用シーブへの動力の伝達力を十分に確保できる。また、主ロープ５と駆動ベルト６との接触をなくしたので、これらの接触による摩耗を無くすことができ、特許文献１の巻上機に比べての主ロープ５と駆動ベルト６の保守点検の間隔を延長することができる。
【図面の簡単な説明】
【００２２】
【図１】本発明によるエレベーター用巻上機の一実施の形態を示す側面図。
【図２】図１のＡ−Ａ線に沿う一部破断右正面図。
【図３】図１の巻上機に適用される駆動用シーブと駆動ベルトの接触部の拡大断面図。
【符号の説明】
【００２３】
１…巻上機、２…支持台、３…支持枠、４…駆動用シーブ、４Ｇ…ロープ溝、５…主ロープ、６…駆動ベルト、６Ａ…凸条、７…駆動ローラ、８…従動ローラ、９…押圧力調整台、１０…駆動電動機と、１１Ａ，１１Ｂ…圧縮ばね、１２Ａ，１２Ｂ…案内手段。
【図１】
2010150028.tif 000003
【図２】
2010150028.tif 000004
【図３】
2010150028.tif 000005